(57)【要約】【課題】  既知の永久カレンダ機構または年間カレンダ機構の欠点を解消しまたは少なくとも緩和することを目的とする。【解決手段】  本発明によれば、日付モービル（１６、２８〜３１）および該日付モービルを駆動する手段（２、３、４、１４、４０）を有する永久または年間カレンダ機構において、前記駆動手段は、同じ月の或る日から次の日に移行する間は瞬間的態様で日付モービルをシフトするが、３１日より少ない日数の月の最終日から翌月の初日に移行する間は、少なくとも部分的にドラッギング態様で日付日付モービルをシフトするように構成されていることを特徴とするカレンダ機構が提供される。【選択図】      図１
2005300548.tif 000002
【特許請求の範囲】
【請求項１】
日付モービル（１６、２８〜３１）および該日付モービルを駆動する手段（２、３、４、１４、４０）を有する永久または年間カレンダ機構において、前記駆動手段は、同じ月内の或る日から次の日に移行する間は瞬間的態様で日付モービルをシフトするが、３１日より少ない日数の月の最終日から翌月の初日に移行する間は、少なくとも部分的にドラッギング態様で日付モービルをシフトするように構成されていることを特徴とするカレンダ機構。
【請求項２】
前記駆動手段（２、３、４、１４、４０）は、３１日より少ない日数の月の最終日から翌月の初日に移行する間は、部分的にドラッギング態様でかつ部分的に瞬間的態様で日付モービル（１６、２８〜３１）をシフトするように構成されていることを特徴とする請求項１記載のカレンダ機構。
【請求項３】
前記駆動手段（２、３、４、１４、４０）は、３１日より少ない日数の月の最終日から翌月の初日に移行する間は、日付モービルが、３１日に対応する角度位置に到達するまではドラッギング態様で、次に瞬間的態様でシフトされて３１日から初日に移行するように構成されていることを特徴とする請求項２記載のカレンダ機構。
【請求項４】
前記駆動手段（２、３、４、１４、４０）は、３１日の日数の月の最終日から翌月の初日に移行する間は、日付モービル（１６、２８〜３１）を瞬間的態様でシフトするように構成されていることを特徴とする請求項１〜３のいずれか１項記載のカレンダ機構。
【請求項５】
前記駆動手段（２、３、４、１４、４０）は、同じ月の或る日から次の日に移行する間および３１日の日数の月の最終日から翌月の初日に移行する間は瞬間的態様で日付モービル（１６、２８〜３１）をシフトするように該日付モービル（１６、２８〜３１）の日付ホイール（１６）と協働する第一クリック（１４）を支持する第一レバー（３）と、３１日より少ない日数の月の最終日から翌月の初日に移行する間は、第一クリック（１４）が日付モービル（１６、２８〜３１）を瞬間的態様で１ピッチだけシフトする前に日付モービル（１６、２８〜３１）が３１日に対応する位置に到達するまで、ドラッギング態様で日付モービル（１６、２８〜３１）をシフトするように該日付モービル（１６、２８〜３１）の補正部材（３１）と協働する第二クリック（４０）を駆動する第二レバー（４）と、第一および第二レバー（３、４）を駆動する手段（２）とを有することを特徴とする請求項１〜４のいずれか１項記載のカレンダ機構。
【請求項６】
前記第一および第二レバー（３、４）を駆動する手段（２）は、スプリング手段（１２、１３）に抗して両レバー（３、４）を毎日徐々に持上げるべく両レバー（３、４）のそれぞれのフィンガ（９、１０）と協働する駆動部材（２）を有し、第二クリック（４０）による日付モービル（１６、２８〜３１）のシフトは第二レバー（４）の持上げ中に行われかつ第一クリック（１４）による日付モービル（１６、２８〜３１）のシフトは、その持上げに続く第一レバー（３）の下降中に行われることを特徴とする請求項５記載のカレンダ機構。
【請求項７】
前記第二レバー（４）はフィーラ部材（２５）を有し、該フィーラ部材（２５）は、第二レバー（４）を持上げる前の休止位置において、現在の月の日数に基いて第二レバー（４）の持上げ量を定めるべくマンスカム（２５）または閏年カム（２７）と接触しており、前記第一レバー（３）の下降は第二レバー（４）の下降前に行われて、或る月の最終日から翌月の初日への移行中の第一クリック（１４）による日付モービル（１６、２８〜３１）の瞬間的シフトの間の機構のブロッキングを防止することを特徴とする請求項６記載のカレンダ機構。
【請求項８】
前記第一および第二レバー（３、４）は同じ軸線（５）の回りで枢動できるように取付けられていることを特徴とする請求項５〜７のいずれか１項記載のカレンダ機構。
【請求項９】
前記第一および第二レバー（３、４）の各々は、その重心が実質的にその枢軸線（５）上に位置するように設計されていることを特徴とする請求項５〜８のいずれか１項記載のカレンダ機構。
【請求項１０】
第一および第二表示部材（３３、３５）を更に有し、両表示部材（３３、３５）は並置されかつ日付のそれぞれ一位を表す数字および十位を表す数字を支持しており、前記第一第二表示部材（３３、３５）は、日付モービル（１６、２８〜３１）の一位ホイール（２９）および十位ホイール（３０）とそれぞれ噛合う一位ピニオン（３２）および十位ピニオン（３４）により支持されていることを特徴とする請求項５〜９のいずれか１項記載のカレンダ機構。
【請求項１１】
前記第二クリック（４０）は、十位ピニオン（３４）と同じ軸線の回りに枢着されたシャトル（１１）により支持されかつ第二レバー（４）のラック（２３）と係合するラック（２２）を有していることを特徴とする請求項１０記載のカレンダ機構。
【請求項１２】
前記一位ホイール（２９）の歯および一位ピニオン（３２）の歯形はエピサイクロイドであり、一位ホイール（２９）の各歯は、一位ホイール（２９）の中心および一位ピニオン（３２）の中心を通る仮想線に沿って整合されたときに、一位ピニオン（３２）の２つの歯の間に中心をもつことを特徴とする請求項１０または１１記載のカレンダ機構。
【請求項１３】
月名ピニオン（４７）が月名表示部材（４８）を支持しており、月名ピニオン（４７）は周囲にフィンガ（４５）が設けられたディスク（４４）により駆動され、ディスク（４４）自体は、前記ホイール（４３）と一体でかつディスク（４４）の孔（４６′）内に配置されたピン（４６）を介して、ディスク（４４）と同軸状のホイール（４３）により駆動され、前記ホイール（４３）自体はギヤ（４１、４２）を介して日付モービル（１６、２８〜３１）により駆動され、ディスク（４４）の孔（４６′）のサイズはピン（４７）のサイズより大きく、このため、手動補正手段（７６）による月名ピニオン（４７）の角度位置の補正中に、月名ピニオン（４７）によるディスク（４４）のシフトが前記ホイール（４３）の角度位置にいかなる影響も与えないことを特徴とする請求項１〜１２のいずれか１項記載のカレンダ機構。
【請求項１４】
請求項１〜１３のいずれか１項記載のカレンダ機構を有することを特徴とする時計。
【発明の詳細な説明】
【技術分野】
【０００１】
本発明は、腕時計等の時計用の永久カレンダ機構（perpetual calendar mechanism）または年間カレンダ機構に関する。
【背景技術】
【０００２】
永久カレンダ機構または年間カレンダ機構は、一般に、同じ月の或る日から次の日に移行させかつ３１日の日数の月の最終日から翌月の初日に移行させるための日付モービル（date mobile）の３１枚歯の日付ホイールと協働する小クリックを支持する駆動レバーと、３１日より日数が少ない月の最終日の補正を行うための日付モービルの蝸牛型補正カムと協働する大クリックとを有している。
これらの或る機構では、或る日から次の日への各移行中の小クリックおよび大クリックによる日付モービルの駆動は、ドラッギング態様（すなわち、一般に数時間に亘ってゆっくりとした態様）である。この時間中、現在の日は、ウォッチの文字盤に設けられた日付表示窓内で次の日に徐々に切替えられる。この解決法は、表示精度およびウォッチの審美性にとって不利であるため、真に満足できるものではない。
他の機構では、或る日から次の日への各移行中の小クリックおよび大クリックによる日付モービルの駆動は、瞬間的態様である。従って、文字盤上の日付表示はほぼ真夜中に瞬間的に変化する。しかしながら、この場合には、３１日より日数の少ない月の最終日から翌月の初日への移行の終時に、日付モービルがその慣性により移動してしまうという無視できない危険があり、従って、日付の誤った表示を引起こす。この危険は、日付モービルが瞬間的態様で４ピッチのジャンプを完了しなければならないとき、２月の２８日から３月１日への移行中に特に存在する。
【０００３】
【非特許文献１】Philip Baratのジュネーブ技術学校の学位論文（１９８３年６月）
【発明の開示】
【発明が解決しようとする課題】
【０００４】
本発明は、既知の永久カレンダ機構または年間カレンダ機構の上記欠点を解消しまたは少なくとも緩和することを目的する。
【課題を解決するための手段】
【０００５】
この目的のため、本発明は、特許請求の範囲の請求項１によるカレンダ機構を提供し、特定の実施形態が、従属請求項に記載されている。
本発明の他の特徴および長所は、添付図面に関連して述べる以下の詳細な説明を読むことにより明らかになるであろう。
【発明を実施するための最良の形態】
【０００６】
図１〜図５に示すように、本発明による永久カレンダ機構は、ムーブメントと文字盤との間でウォッチケース内に配置されるプレート１上に取付けられる。
この機構は、より詳しくは、日付フィンガ２と、日付レバー３と、補正レバー４とを有している。両レバー３、４は同じ枢軸５の回りに取付けられているが、互いに自由に回転できる。
日付フィンガ２は、ウォッチの時刻ホイールと一体の１２時間中間ホイール８と噛合う２４時間ホイール７と一体のピン６により、１日につき１回転で反時計回り方向に連続的に回転される。日付フィンガ２は、毎日、所与の時から、日付レバー３のフィンガ９（図４参照）および補正レバー４のフィンガ１０（図５参照）と協働して、それぞれ、リターンスプリング１２により日付レバー３に加えられる作用およびリターンスプリング１３により、補正レバー４と協働する枢動シャトル１１に加えられる作用に抗して前記両レバー３、４を徐々に持上げる。
【０００７】
日付レバー３は、フィンガ９以外に第一小クリック１４および第二小クリック１５を有する。これらの両クリック１４、１５は、或る日から次の日に移行する間に、３１枚歯の日付スター・ホイール１６および７枚歯の曜日スター・ホイール（days star wheel）１７とそれぞれ協働して、これらのスター・ホイール１６、１７を瞬間的に１ピッチだけ回転させる。曜日スター・ホイール１７は、ウォッチの文字盤（図６）の曜日表示領域１９に関連する表示針１８を支持している。日付スター・ホイール１６および曜日スター・ホイール１７の角度位置は、それぞれ、ジャンパ２０、２１により割出される。
補正レバー４は、この一端に、枢動シャトル１１の対応ラック２３と係合するラック２２を有し、他端に、フィーラを有している。このフィーラは、フィーラピン１５が固定されたフィンガ２４を有し、フィーラピン２５は、補正レバー４の休止位置において月名カム（months cam）２６または閏年カム２７（図５）と接触する。
【０００８】
各レバー３、４は、その一部が枢軸５の一方側に延びかつ一部が枢軸５の反対側に延びている。補正レバー４に関しては、フィーラ２４、２５はラック２２およびフィンガ１０の１つとは反対側に配置されていることに特に留意すべきである。各レバー３、４の形状は、これらのレバーの重心がほぼ枢軸５上に位置するように選択するのが有利である。これにより、機構は、衝撃に対する感度が小さくなる。また、摩擦係数を低減すべく、レバー３、４の枢軸５には１つまたは幾つかのボールベアリングを配置できる。
【０００９】
日付スター・ホイール１６には、３１枚歯の日付ホイール２８と、２９枚の歯と連続する２枚の歯のスペース分だけ空けた空スペース２９′とを備えた一位ホイール（units wheel）２９と、４枚歯の十位ホイール（tens wheel）３０と、蝸牛型補正カム（snail correction cam）３１とが一体化されている。日付スター・ホイール１６と、日付ホイール２８と、一位ホイール２９と、十位ホイール３０と、補正カム３１とにより形成される組立体は、本明細書の以下の説明において「日付モービル（date mobile）」と呼ぶことにする。
【００１０】
一位ホイール２９は、一位ディスク３３を支持する１０枚歯の一位ピニオン３２と係合しており、一位ディスク３３には、日付の一位を表す０〜９の大きいサイズの連続数字が表示されている。十位ホイール３０は、十位ディスク３５を支持する８枚歯の十位ピニオン３４と協働し、十位ディスク３５には、日付の十位を表示する、０から３の２組の大きいサイズの連続数字が表示されている。各ピニオン３２、３４は、それぞれ、ジャンパ３６、３７の作用を受ける。一位ディスク３３および十位ディスク３５は並置されていて、ウォッチの文字盤に設けられた２つのそれぞれの大きい窓３８、３９に日付を表示できる。
【００１１】
図７には、一位ホイール２９および一位ピニオン３２により形成されるギヤが詳細に示されている。前述のように、ホイール２９およびピニオン３２の歯形はエピサイクロイドであり、ホイール２９の各歯は、ホイール２９およびピニオン３２のそれぞれの中心を通る仮想線に沿って整合するときにピニオン３２の歯の中心に位置し、この逆も当てはまる。一位ホイール２８および一位ピニオン３２のこの歯構成により、これらの歯の貫入深さ（depth of penetration）を増大させること、および日付モービル１６、２８〜３１を一位ピニオン３２に対するその角度位置にロックすることが可能になる。これは、日付モービル１６、２８〜３１が、３１日または１日（ついたち）に対応する角度位置にあるときを除くあらゆる瞬間に、一位ホイール２９の歯がピニオン３２の２つの歯の間に位置するという事実による。日付モービル１６、２８〜３１が３１日または１日（ついたち）に対応する角度位置にあるときは、一位ピニオン３２の歯は、空スペース２９′に対面する。この位置では、日付モービル１６、２８〜３１は、一位ホイール２９の歯に近接した一位ピニオン３２の歯により一方向にブロックされ、かつ十位ホイール３０の歯に近接した十位ピニオン３４の歯により他方向にブロックされる。
【００１２】
シャトル１１（図２および図５）は十位ピニオン３４および十位ディスク３５と同じ軸線の回りに枢着されているが、これらのピニオン３４およびディスク３５に対して自由に回転できる。シャトル１１に関節連結された大クリック４０が補正カム３１と協働して、３１日より日数が少ない月の最終日から翌月の初日へと移行する間に補正レバー４のフィーラ２４、２５により検出された、月名カム２６または閏年カム２７の角度位置に基いて、日付モービル１６、２８〜３１を、１ピッチまたは数ピッチだけドラッギング態様でシフトする。
【００１３】
日付ホイール２８は、一位ピニオン３２および一位ディスク３３と同じ軸線の回りに取付けられているがこれらのピニオン３２およびディスク３３に対して自由に回転できる３１枚歯の中間日付ホイール４１と係合している（図１、図２および図３）。中間日付ホイール４１は中間ピニオン４２と噛合っており、該中間ピニオン４２自体は３１枚歯の月名ホイール４３と噛合っている。月名ホイール４３は、該月名ホイール４３と同軸状でかつ周囲にフィンガ４５が設けられた月名ディスク４４を、動該ホイール４３と一体でかつ月名ディスク４４の孔４６′内に配置されたピン４８（孔４６′はピン４８自体より大きい）を介して駆動する（図２、図３および図５）。
【００１４】
月名ディスク４４のフィンガ４５は、各月の終時に１２枚歯の月名ピニオン４７と協働して該ピニオン４７を１ピッチだけ駆動し、これにより月名ピニオン４７は１年に１回転される。月名カム２６と一体のこの月名ピニオン４７は、ウォッチの文字盤上の月名表示領域４９（図３および図６）に関連する月名表示針４８を支持しておりかつジャンパ４７′（図２参照）の作用を受ける。
【００１５】
月名ピニオン４７は、月名ホイール４３および月名ディスク４４と同じ軸線の回りに取付けられているがこれらのホイール４３およびディスク４４に対して自由に回転できる４８枚歯の４８月名ホイール（48-month wheel）５０を駆動して、該ホイール５０を４年に１回転の割合で駆動する。この４８月名ホイール５０は３０枚歯の第一年名ホイール（first year wheel）５１と一体である。月名ピニオン４７と同じ軸線の回りに取付けられているが該ピニオン４７に対して自由に回転できる３０枚歯の第二年名ホイール５２が、第一年名ホイール５１により駆動される。閏年カム２７と一体のこの第二年名ホイール５２は、ウォッチの文字盤上の対応表示領域５４に関連する閏年表示針５３を支持している。
【００１６】
月名カム２６の周囲は半径が変化しておりかつ当該年の月の日数に基いて、月名カム２６の角度位置が現在の月を定める。より正確には、カム２６の周囲は、３１日の月に対応する大半径部分５５と、３０日の月に対応する中間半径部分５６と、閏年でない（２８日の）２月に対応する小半径部分５７（図２参照）とを有している。閏年カム２７の周囲には、閏年の２月に関連するユニークなバンプ５８（図５）が設けられている。閏年カム２７のバンプ５８は、各閏年の２月中の、バンプ５８により定められる角度セクタが月名カム２６の周囲の小半径部分５７により定められる角度セクタを有する角度位置と、閏年でない各年の２月中の、上記角度セクタが分離される角度位置とを有している。
【００１７】
更に図１および図２に示すように、日付フィンガ２を駆動するピン２４時間ホイール７は、曜日スター・ホイール１７と同軸線の回りに取付けられているが該ホイール１７に対して自由に回転できる第二２４時間ホイール５９と噛合う。この第二２４時間ホイール５９は、曜日表示領域１９（図６）と同軸状の、ウォッチの文字盤上の昼／夜表示領域６１に関連する昼／夜表示針６０を支持している。
【００１８】
本発明による永久カレンダ機構はまた、月相（moon phase）表示装置を有している。この装置は、日付フィンガ２により１日につき１ピッチで駆動されかつジャンパ６３の作用を受ける月相ピニオン６２を有している（図１、図２および図９Ａ参照）。月相ピニオン６２は中間ピニオン６４を支持しており、該中間ピニオン６４は第二中間ピニオン６５と噛合い、該第二中間ピニオン６５自体は窓ホイール６６と噛合っている。第三中間ピニオン６７は第二中間ピニオン６５と一体でありかつ月相ホイール６８と噛合っている。第一中間ピニオン６４と第二中間ピニオン６５との間の噛合い比、第二中間ピニオン６５と窓ホイール６５との間の噛合い比、および第三中間ピニオン６７と月相ホイール６８との間の噛合い比は、窓ホイールが、１日につき１ピッチでかつ１月相回転（２９日、１２時間および４５分）につき１回転だけ段階的に駆動されるように、かつ月相ホイール６８が、窓ホイール６６の角速度の１／２の角速度で段階的に駆動されるように定められる。月相ホイール６８はディスク６９を形成しており、該ディスク６９は、直径方向に対向しかつ空の青色を有する２つのペレット７０と、月の黄色を有する残部とを備えている（図９Ｂ）。月相ホイール６８の上に配置された窓ホイール６６はディスク７１を形成しており、該ディスク７１は、空の青色を有しかつペレット７０と同じ直径の円形窓７２を備えている（図９Ｃ）。この装置では、窓７２が文字盤の６時の位置にありかつ両ペレット７０の間にあるときに、窓７２を通して満月が現われる。窓７２および両ペレット７０のうちの一方のペレットが文字盤の正午の位置にあるときに新月が現われる。この正午の位置から、ユーザは、月が満月になるまでホイール６６、６８の右側部分が日毎に増大していき、次にホイール６６、６８の左側部分が減少していくのが見られるであろう。この月相表示装置自体は既知であり、例えば上記非特許文献１に開示されている。
【００１９】
本発明による永久カレンダ機構は更に補正手段７３、７４、７５、７６を有し、該補正手段は、それぞれ、日付モービル１６、２８〜３１、曜日スター・ホイール１７、月相ピニオン６２および月名ピニオン４７の角度位置の手動補正を可能にする。各補正手段７３〜７５は、それぞれ、日付ホイール２８、曜日スター・ホイール１７および月相ピニオン６２の歯を押すように構成された単なる枢動部材である。月名ピニオン４７に関連する補正手段７６は、異なる枢軸線を有する２つの枢動部品７８、７９を有している（図５参照）。枢動部品７８は枢動部品７９のスロット８１と協働するピン８０を支持しており、かつフィンガ８１を更に有している。該フィンガ８１は、補正レバー４が月名カム２６または閏年カム２７に接触しているときに補正レバー４を持上げることができるフィンガ８２と、該フィンガ８２が持上げられた後に月名ピン４７の歯を押して、月名ピニオン４７を１ピッチだけ時計回り方向にシフトすることができる嘴（くちばし：beak）８３とを有している。
【００２０】
本発明による永久カレンダ機構は、次のようにして作動する。
休止位置では、日付レバー３はそのリターンスプリング１２により、当接部材８４（図２に示す）に当接された状態に維持され、かつ補正レバー４は、シャトル１１に作用するリターンスプリング１３により、フィーラピン２５が月名カム２６または閏年カム２７の周囲に当接している位置に維持される。より正確には、この休止位置では、現在の月が３１日または３０日の日数を有する月であるときは、それぞれ、月名カム２６の周囲の上方部分５５または中間部分５６に接触し、現在の月が２８日の日数を有する月であるときは、月名カム２６の下方部分５７に対応する凹部のバンプ以外の閏年カム２７の周囲部分に接触し、現在の月が２９日を有する月であるときは、閏年カム２７のバンプ５８に接触する。かくして、この休止位置における補正レバー４の角度位置は、フィーラピン２５が接触する月名カム２６または閏年カム２７の周囲部分によって、換言すれば、現在の月によって異なっている。毎日、午後の約６時から９時の間の所与の時間から、日付フィンガ２が補正レバー４のフィンガ１０と接触して、リターンスプリング１３により加えられる作用に抗してこのレバー４を徐々に持上げ始め、かくして、フィーラピン２５を月名カム２６および閏年カム２７から離れる方向に移動させる。日付フィンガ２がフィンガ１０に接触し始める時点は、その休止位置での補正レバー４の上記角度位置、従って現在の月の日数に基いて定まる。現在の月の日数が多いほどこの時点は遅くなり、従って、日付フィンガ２の作用を受ける補正レバー４の変位が大きくなる。
【００２１】
補正レバー４が持上げられる間に、ラック２２はシャトル１１を回転駆動し、これにより、大クリック４０の自由端を、補正カム３１の外周面上で摺動させる。３１日より日数が少ない月の最終日以外の日の間中、大クリック４０の自由端が摺動しても日付モービル１６、２８〜３１の角度位置にはいかなる効果も及ぼさない。これに対し、日数が３０日、２９日または２８日の月の最終日には、大クリック４０の自由端が、補正カム３１のセットバック（図５に参照番号８５で示す）に接触してこのカム３１を押し始め、日付モービル１６、２８〜３１を、それぞれ、１ピッチ、２ピッチまたは３ピッチだけ時計回り方向に押し始める。これにより日付モービル１６、２８〜３１は、日付３１に対応する角度位置に到達する。次に、補正レバー４が日付フィンガ２の作用から解放されて、補正レバー４がその休止位置に復帰するように、リターンスプリング１３が補正レバーを下降させる。より正確には、大クリック４０による日付モービル１６、２８〜３１の１ピッチだけの各シフトは、第一の低速移動（この移動の間、大クリック４０は、ジャンパ２０と接触している日付スター・ホイール１６の歯頂がジャンパ２０の先端部８６に到達するまで、ジャンパ２０により加えられる作用に抗して補正カム３１を押す。と、前記歯の他側に作用するジャンパ２０が下降されることにより開始される第二の高速移動とからなり、これから、大クリック４０がセットバック８５とは瞬間的に接触しなくなる。
【００２２】
補正レバー４の持上げ中、日付フィンガ２が日付レバー３のフィンガ９と接触するようになり、これにより、リターンスプリング１２により加えられる作用に抗してこのレバー３が徐々に持上げられる。日付レバー３の持上げの終了は、補正レバー４の持上げの終了後であるが、補正レバー４の加工の前に生じる。日付フィンガ２が日付レバー３を解放するやいなや、このレバー３は、リターンスプリング１２の作用により下降して、その休止位置に復帰する。この下降中、第一小クリック１４は日付スター・ホイール１６をキャッチして、このスター・ホイール１６従って日付モービル１６、２８〜３１を１ピッチだけ角度的にかつ瞬間的にシフトさせる。日付レバー３のこの同じ下降中、第二小クリック１５が曜日スター・ホイール１７の歯をキャッチして、このスター・ホイール１７従って曜日表示針１８を１ピッチだけ角度的かつ瞬間的にシフトさせ、次の日付を表示する。
【００２３】
小クリック１４、１５による日付モービル１６、２８〜３１および曜日スター・ホイール１７の１ピッチだけの瞬間的シフトは、３１日より少ない日数の月であるか否かにかかわらず毎日生じる。現在の日が、３１日より少ない日数の月の最終日である場合には、日付モービル１６、２８〜３１の１ピッチだけのこの瞬間的シフトの次には、大クリック４０によるこのモービルのドラッギングシフトが行われ、現在の月の最終日から翌月の初日への移行を終了する。他の全ての環境、すなわち、１つの月内での或る日から翌日への移行または３１日の月の最終日から翌月の初日への移行の場合には、大クリック４０はいかなる機能ももたず、小クリック１４による日付モービル１６、２８〜３１の１ピッチだけの瞬間的シフトは、日付モービル１６、２８〜３１から受ける唯一のシフトである。
【００２４】
日付モービル１６、２８〜３１が１ピッチだけ回転されるとき、それが小クリック１４により瞬間的態様で行われるか、大クリック４０によりドラッギング態様で行われるものであっても、日付モービル１６、２８〜３１の一位ホイール２９は一位ピニオン３２を１ピッチだけシフトさせ、日付モービル１６、２８〜３１が日付３１に対応する角度位置にある月を除き、窓３８内に表示された日付の一位を次の一位に変更する。この位置では、実際に、一位ピニオン３２の歯が一位ホイール２９の歯の空のスペース２９′に対面し、従って駆動されない。日付モービル１６、２８〜３１が、３１日に対応する角度位置から初日に対応する角度位置へと変化するとき、一位ディスク３３は静止状態を維持し、一位の数字は窓３８を通して表示された状態を維持する。
【００２５】
十位ピニオン３４は、該十位ピニオン３４が十位ホイール３０の４つの歯のうちの１つの経路内にあるときに、日付の十位の変化に対応して、日付モービル１６、２８〜３１の十位ホイール３０により、１つの月にたった４回だけ駆動される。十位ピニオン３４が１ピッチだけシフトされる度毎に、ピニオン３４と一体の十位ディスク３５もシフトされ、日付の次の十位を窓３９内に表示する。
【００２６】
また、日付モービル１６、２８〜３１が１ピッチだけ回転する度毎に、月名ホイール４３および月名ディスク４４が、必然的に、中間日付ホイール４１および中間ピニオン４２を介して１ピッチだけ回転される。しかしながら、このホイール４３およびディスク４４の１回転ピッチだけの回転により、日付モービル１６、２８〜３１が３１日に対応する角度位置から初日に対応する角度位置へと変化するときにのみ、月名ディスク４４のフィンガ４５によって月名ピニオン４７が回転される（残りの時間は、フィンガ４５が月名ピニオン４７の歯の外部にある）。月名ピニオン４７が１ピッチだけ回転する度毎に、月名カム２６およびウォッチの文字盤の月名表面領域４９の上方に位置する月名表示針４８が、１ピッチだけ回転され、次の月に移行する。また、月名ピニオン４７が１ピッチだけ回転する度毎に、４８月ホイール５０が１ピッチだけ回転され、これにより、年名ホイール５１、５２を介して、閏年カム２７およびウォッチの文字盤の表示領域５４に関連する閏年表示針５３が１ピッチだけ回転される。
【００２７】
レバー３、４のフィンガ９、１０は、日付レバー３の下降が、常に、補正カム４の下降前に生じるように設計される。かくして、日付レバー３の下降中に日付モービル１６、２８〜３１が毎日行う１ピッチだけの瞬間的シフトは、前述のように、各月の終時に月名ピニオン４７および月名カム２７のシフトを引起こし、かつ補正カム４のフィーラ２４、２５がカム２６、２７の外周面から離れている間に生じる。このようにして、機構のブロッキングが防止される。
【００２８】
機構の作動中はいつでも、日付モービル１６、２８〜３１、日付スター・ホイール１７、日付ピニオンおよび月名ピニオン４７の角度位置は、それぞれ、補正手段７３〜７６を介して手動で補正でき、これによりブロッキングの危険はなくなる。特に月名ピニオン４７に関しては、補正手段７６によるこのピニオン４７の回転が、日付モービル１６、２８〜３１の角度位置にいかなる影響も与えないことに留意されたい。実際に、フィンガ４５が月名ピニオン４７の歯の外側にある間にこの回転が生じるときには、月名ディスク４４が月名ピニオン４７により回転されることはない。フィンガ４５が前記ピニオン４７の歯内にある間に月名ピニオン４７の回転が生じるとき、月名ディスク４４は反時計回り方向に１ピッチだけ駆動されるが、孔４６′が、これに受入れられるピン４６より大きいので、月名ホイール４３は静止状態を維持し、従って日付モービル１６、２８〜３１も静止状態に維持される。
【００２９】
上記のように、本発明は、既に説明したもの以外にも幾つかの長所を有している。これらの長所のうちの１つは、日付表示の変更が、いつでも、すなわち同じ月の或る日から次の日に移行する間および３１日の日数の月の最終日から翌月の初日に移行する間に瞬間的に行われるが、日付モービル１６、２８〜３１がその慣性により所望でないシフトに駆動される危険はない。これは、３１日より少ない日数の月の最終日から翌月の初日に移行する間の日付モービル１６、２８〜３１のシフトがドラッギング態様で部分的に行われるという事実による。より詳しくは、図示の例では、日付モービル１６、２８〜３１の瞬間的シフトが常に単一ピッチに限定されることに留意されたい。
【００３０】
本発明の他の長所は、小クリック１４および大クリック４０をそれぞれ支持する２つのレバー３、４を設けたことにより、他の表示装置（図示の例では月相表示装置６２〜６８用の何らかのスペースを設けることなくクリック１４のための充分なシフト角度を付与でき、かつ２つの並置ディスク３３、３５による大きいサイズの表示が可能なことである。全体として、本発明による機構によれば、ウォッチの文字盤上で良く判読できる種々の表示装置のユーザに優しいレイアウトが得られる。
【００３１】
以上、本発明を単なる例示として説明した。本発明の範囲を逸脱することなく種々の変更をなし得ることはいうまでもない。例えば、閏年カム２７および該カムに関連するギヤを除去することにより、本発明の機構を単なる年間カレンダ機構にすることができる。或いは、月相表示装置６２〜６８を除去する変更または例えば該装置を脱進機で置換する変更を行うことができる。
【図面の簡単な説明】
【００３２】
【図１】本発明による永久カレンダ機構の平面図（ウォッチの文字盤側から見た平面図）であり、２月２８日に割出されたところを示すものである。
【図２】本発明による永久カレンダ機構の平面図であり、機構の全ての部品が透明であると仮定して示したものである。
【図３】図１のＩＩＩ−ＩＩＩ線に沿う、本発明による永久カレンダ機構の断面図である。
【図４】本発明による永久カレンダ機構の部分平面図であり、機構の日付機能および曜日機能に対応する部分を示すものである。
【図５】本発明による永久カレンダ機構の部分平面図であり、３１日より少ない日数の月の最終日の補正（オーバテーキング）機能に対応する部分を示すものである。
【図６】本発明による永久カレンダ機構を含むウォッチを示す平面図である。
【図７】本発明による永久カレンダ機構の、一位の日付を表示する機能に対応する部分を示す平面図である。
【図８】本発明による永久カレンダ機構の、十位の日付を表示する機能に対応する部分を示す平面図である。
【図９Ａ】本発明による永久カレンダ機構の、月相を表示する機能に対応する部分を示す平面図である。
【図９Ｂ】本発明による永久カレンダ機構の、月相を表示する機能に対応する部分を示す平面図である。
【図９Ｃ】本発明による永久カレンダ機構の、月相を表示する機能に対応する部分を示す平面図である。
【符号の説明】
【００３３】
１  プレート
４  補正レバー
１１  シャトル
３１  補正カム
２７  閏年カム
２９  一位ホイール
３０  十位ホイール
６８  月相ホイール
【図１】
2005300548.tif 000003
【図２】
2005300548.tif 000004
【図３】
2005300548.tif 000005
【図４】
2005300548.tif 000006
【図５】
2005300548.tif 000007
【図６】
2005300548.tif 000008
【図７】
2005300548.tif 000009
【図８】
2005300548.tif 000010
【図９Ａ】
2005300548.tif 000011
【図９Ｂ】
2005300548.tif 000012
【図９Ｃ】
2005300548.tif 000013